(57)【要約】【課題】  本発明の目的は苗箱収納棚を分解、組立ての容易なパイプ材等の機材の組立体としこの組立体内に苗箱の出入れが自在でかつ苗箱を多数安定的に収納でき、容易かつ安定的に移動搬送することができる苗箱収納棚を提供することにある。【解決手段】  左側の前後の支柱間に水平板を段状に架け渡しまた右側の前後の支柱間に水平材を段状に架け渡し、かつ左右の各段の水平材に夫々等しい段差を持たせ低位の側の水平材の長手方向に沿って矩形苗箱の一端側を支えるための受け支持部を形成すると共に高位の側の水平材上に該苗箱の導出入受け面を形成し、さらに左右の支柱の各段相対応する水平材相互の傾斜間隔を該苗箱の導出入方向の長さよりも短かく設定したことを特徴とする苗箱の収納棚。【選択図】  図１
2006061079.tif 000002
【特許請求の範囲】
【請求項１】
左側の前後の支柱間に水平板を段状に架け渡しまた右側の前後の支柱間に水平材を段状に架け渡し、かつ左右の各段の水平材に夫々等しい段差を持たせ低位の側の水平材の長手方向に沿って矩形苗箱の一端側を支えるための受け支持部を形成すると共に高位の側の水平材上に該苗箱の導出入受け面を形成し、さらに左右の支柱の各段相対応する水平材相互の傾斜間隔を該苗箱の導出入方向の長さよりも短かく設定したことを特徴とする苗箱の収納棚。
【請求項２】
左右および中央の支柱とこれら支柱の上下端を夫々連結する上下の横材からなる前後１対の枠体を、前後相対応する支柱間に夫々上下段状に架け渡した左右および中央の水平材で連結し、左右の各段の水平材は夫々同一高さに設定すると共に中央の各段の水平材は対応する段の左右の水平材よりも低い位置に夫々設定し、左または／および右の各段の水平材と中央の対応する各段の水平材との間に、苗箱を出入自在に架け渡し多段の苗箱を各段毎に左右から中央に向って下降傾斜状に前後に相並べて収納するようにしたことを特徴とする苗箱の収納輸送棚。
【請求項３】
低位の側の各段の水平材に、収納苗箱の下降端部の底面および端側面に苗箱の長手方向に直交して線状または集合線状に接触する受け支持部を設け、上記の線状または集合線状の接触部が苗箱の長手方向の滑りを制御する請求項１または２記載の苗箱の収納輸送棚。
【請求項４】
高位の側の各段の水平材に、収納苗箱の上昇端部近傍の底面に横断的に集合線接触する受け支持部を設け、この接触部が苗箱の長手方向の滑りを制御する請求項１から３までのいずれか１項記載の苗箱の収納輸送棚。
【発明の詳細な説明】
【技術分野】
【０００１】
本発明は稲苗等の苗成培箱をその栽培温室から田植現場の田圃へ多量にトラック移送することを目的とした苗箱収納棚に関する。
【背景技術】
【０００２】
従来においても多数の苗箱を前後左右に複数列に上下に複数段に出入れ自在にかつ安定的に載架収納するようにした苗箱収納棚は知られている。
【０００３】
【特許文献１】実公昭５１−３１２９４号公報
【特許文献２】実開平６−３１４４２号公報
【特許文献３】公開実用昭和５６−２４８１７
【特許文献４】公開実用昭和５２−１５８０５０
【特許文献５】特許第３４３４６５６号公報
【発明の開示】
【発明が解決しようとする課題】
【０００４】
本発明の目的は苗箱収納棚を分解、組立ての容易なパイプ材等の機材の組立体としこの組立体内に苗箱の出入れが自在でかつ苗箱を多数安定的に収納でき、容易かつ安定的に移動搬送することができる苗箱収納棚を提供することにある。
【課題を解決するための手段】
【０００５】
本発明は左側の前後の支柱間に水平板を段状に架け渡しまた右側の前後の支柱間に水平材を段状に架け渡し、かつ左右の各段の水平材に夫々等しい段差を持たせ低位の側の水平材の長手方向に沿って矩形苗箱の一端側を支えるための受け支持部を形成すると共に高位の側の水平材上に該苗箱の導出入受け面を形成し、さらに左右の支柱の各段相対応する水平材相互の傾斜間隔を該苗箱の導出入方向の長さよりも短かく設定したことを特徴とする苗箱の収納棚に係わる。
【０００６】
本発明は上記において左右および中央の支柱とこれら支柱の上下端を夫々連結する上下の横材からなる前後１対の枠体を、前後相対応する支柱間に夫々上下段状に架け渡した左右および中央の水平材で連結し、左右の各段の水平材は夫々同一高さに設定すると共に中央の各段の水平材は対応する段の左右の水平材よりも低い位置に夫々設定し、左または／および右の各段の水平材と中央の対応する各段の水平材との間に、苗箱を出入自在に架け渡し多段の苗箱を各段毎に左右から中央に向って下降傾斜状に前後に相並べて収納するようにしたことを特徴とする苗箱の収納輸送棚に係わる。
【０００７】
本発明は上記において低位の側の各段の水平材に、収納苗箱の下降端部の底面および端側面に苗箱の長手方向に直交して線状または集合線状に接触する受け支持部を設け、上記の線状または集合線状の接触部が苗箱の長手方向の滑りを制御するものに係わる。
【０００８】
本発明は上記において高位の側の各段の水平材に、収納苗箱の上昇端部近傍の底面に横断的に集合線接触する受け支持部を設け、この接触部が苗箱の長手方向の滑りを制御するものに係わる。
【発明の効果】
【０００９】
本発明の苗箱の収納棚によれば田植用稲苗を実装した多段の苗箱群を収納棚の各段毎に側方の外側から高位の水平材から低位の水平材に向って２０°前後の下降傾斜状に前後に相並べて収納し、この苗箱を収納した棚をクレーン等で軽トラックの荷台上に前後がトラックの走行方向に向かうように積み込むことにより、収納苗箱がトラック荷台上に上向きに開いた配列で上下に段設されかつ前後にも相並んだ状態でトラック輸送できるので、苗箱および苗箱に実装した稲苗の荷姿を崩すことなく定常的に田植現地に搬送できる利点を有する。
【発明を実施するための最良の形態】
【００１０】
以下に本発明を図面に示す実施例によって説明するが、本発明はこれのみに制約されるものではない。
【実施例１】
【００１１】
図１は苗箱収納輸送ラックの組立体の斜視図で（Ａ）は左側枠用パネルブロック、（Ｂ）は右側枠用パネルブロック、（Ｃ）は中央枠用パネルブロックで、パネルブロック（Ａ）（Ｂ）はアルミの押出し成型になる表面に長手方向に多数の細溝が相並んで刻設状に設けられて滑り止め面を形成しているアルミ角パイプ（断面は方形）からなる前後の同一の縦桟（１）（２）間に傾斜上側受桟（３）を上下に等間隔に複数個例えば２〜６段（図示では各６段）架設され、ブロック（Ａ）（Ｂ）は夫々全体としてパネル形状をなしている。
中央枠用のパネルブロック（Ｃ）は上記縦桟（１）（２）と同一の縦桟（４）（５）間に傾斜下側受桟（６）がパネル（Ａ）（Ｂ）の横桟（３）の取付位置よりも低い位置に相対応して上下段状に架設されている。
これら左側枠用パネルブロック（Ａ）と中央枠用パネルブロック（Ｃ）と右側枠用パネルブロック（Ｂ）とを左右方向に等間隔に相隔てて起立状態に、各パネルブロック（Ａ）（Ｃ）（Ｂ）の前方縦桟（１）（４）（１）の下端を前下枠用スペースブロック（Ｄ）で連結しまた当該の前方縦桟（１）（４）（１）の上端は前上枠用スペースブロック（Ｆ）で連結している。
また、各パネルブロック（Ａ）（Ｃ）（Ｂ）の後方縦桟（２）（５）（２）の下端は後下枠用スペースブロック（Ｅ）で、上端は後上枠用スペースブロック（Ｇ）で連結し苗箱収納棚としての組立体としている。
上記の各スペースブロック（Ｄ）（Ｅ）（Ｆ）（Ｇ）はいずれも全表面に長手方向の細溝を付けて滑り止め面としている断面方形の角パイプの水平桟から夫々なっており、各水平桟のパイプ両端には同じくアルミ製のＩ形ないしはＬ形のジョイント用型材ブロック（Ｊ）を溶接またはボルト締めによって固定しまた桟中央部にはＩ形ないしはＴ形のジョイント用型材ブロック（Ｋ）を溶接またはボルト締めによって介在し、パネルブロック（Ａ）（Ｂ）（Ｃ）と溶接またはボルト締めによって固定している。
尚前後の上枠用スペースブロック（Ｆ）（Ｇ）の水平桟の両端上面または側面には組立体の吊上げ用取付環（７）が固定されこの取付環（７）にワイヤー掛けして苗箱群を収納したまたは収納しない苗箱収納棚の組立体をそのまま吊り上げトラック等への積上げ、積下しを行うようにしている。
（Ｈ）はブロック（Ａ）（Ｃ）（Ｂ）の各前方縦桟（１）（４）（１）を連結している筋違い補強桟、（Ｉ）は各後方縦桟（２）（５）（２）を連結している筋違い補強桟を示す。
苗箱は図１の組立体において左右には２列に、前後には例えば５列等の複数列に上下には例えば６段等の複数段に多数載架収納することができるが、パネルブロック（Ａ）（Ｂ）（Ｃ）の各縦桟（１）（２）（４）（５）の中間に夫々ブロック（Ｋ）と類似のＩ形のジョイント用型材ブロックとねじ込みボルトとの組合わせを介在させ、これらブロック（Ａ）（Ｂ）（Ｃ）を着脱自在に上下に２分割し、下枠用スペースブロック（Ｄ）（Ｅ）と上枠用スペースブロック（Ｆ）（Ｇ）を別にもう１個宛用意しておけば全体が６段構成の場合、２段構成のものと、４段構成のものとに分けて使用することができる。
このようにして多数の苗箱は組立体内部の中央枠用パネルブロック（Ｃ）に向かって左右の外側から夫々下降傾斜状かつ段状に前後方向に相並んで収納される。
この組立体はブロック（Ｄ）（Ｆ）側およびブロック（Ｅ）（Ｇ）側のいずれかを前方に、他方を後方に向けてトラック荷台上に収容し、収納苗箱群はトラックの走向方向に向かって左右上向きの逆「ハ」の字状に段設配列された状態となる。
【００１２】
図２は傾斜下側受桟（６）と傾斜上側受桟（３）との組合わせによって苗箱（８）を収納支承している状態を示している。
矩形苗箱（８）はその長手方向に傾斜してラック組立体内に相並べて段状に収納されるが、苗箱（８）の下降側端部はその底面が受桟（６）の下端から側方へ上方傾斜状に張り出した表面に横方向の密間隔の突条群を有する板材（６−１）によって反覆して線接触的に支持され、かつその端側面が受桟（６）の傾斜した縦側面（６−２）に反覆して線接触的に支持される。
他方苗箱（８）の上昇側端部近傍は苗箱の底面を横断してこれに反覆して線接触する傾斜上側受桟（３）の傾斜面（３−１）によって支持される。
上記の板材（６−１）、縦側面（６−２）、傾斜面（３−１）の傾斜角度は苗箱の収納傾斜角度（通常２０°前後に設定される）に合せて設定され、またこれら（６−１）（６−２）（３−１）の苗箱と接触する表面には横方向に密間隔に配列された細溝ないしは細突条が設けられ苗箱長手方向または苗箱の持ち上がり方向に対し夫々不規則移動を防止する抵抗面を形成している。
【００１３】
図１では左右および中央のパネルブロックの組合わせを示しているが、右側または左側のパネルブロック（Ａ）または（Ｂ）と中央のパネルブロック（Ｃ）との組合わせとすることも可能であり、この場合には中央のパネルブロック（Ｃ）は左側ブロック（Ａ）または右側ブロック（Ｂ）に対面する側のみに板材（６−１）を支出した構成とすればよい。
このようなパネルブロック（Ａ）または（Ｂ）と（Ｃ）との組合わせとした場合、（Ａ）と（Ｃ）の組合わせと（Ｃ）と（Ｂ）の組合わせを左右対称に配列して使用することもできる。
【図面の簡単な説明】
【００１４】
【図１】苗箱収納ラックの組立体斜視図
【図２】同上における傾斜下側受桟と傾斜上側受桟との組合わせによって傾斜苗箱を支持している機構を示す説明図
【符号の説明】
【００１５】
Ａ……左側枠用パネルブロック
Ｂ……右側枠用パネルブロック
Ｃ……中央枠用パネルブロック
Ｄ……前下枠用スペースブロック
Ｅ……後下枠用スペースブロック
Ｆ……前上枠用スペースブロック
Ｇ……後上枠用スペースブロック
Ｈ……筋違い補強桟
Ｉ……筋違い補強桟
Ｊ……ジョイント用型材ブロック
Ｋ……ジョイント用型材ブロック
１……縦桟
２……縦桟
３……傾斜上側受桟
３−１……傾斜面
４……縦桟
５……縦桟
６……傾斜下側受桟
６−１……板材
６−２……縦側面
７……吊上げ用取付環
８……苗箱
【図１】
2006061079.tif 000003
【図２】
2006061079.tif 000004